(57)【要約】      （修正有）【課題】水槽内生物に合わせた濾過能力強化と水槽水への酸素の溶解を増加させることが容易な飼育ならびに生け簀水槽上部式濾過器多段フィルターを提供する。【解決手段】任意数のフィルター室を組み合わせるため、フィルター室散水口側面上部枠へ凸部を設け、フィルター室排水口側面下部枠へ凹部を設けることにより散水口と排水口を互い違いに積み重ねる。フィルター室底部にはフィルター室の長方形の長辺部両端にある散水口から排水口に向けて２〜５度の下りのスロープを設けてある。【選択図】図１
0003158223.tif 000002
【実用新案登録請求の範囲】
【請求項１】
飼育ならびに生け簀水槽における従来型の長方形上部式濾過器の利便性の良い設置ならびに使用方法はそのままで、フィルター室を任意数に散水口と排水口を互い違いに積み重ねることを可能にし、各フィルター室は多段化を前提に通常の長方形フィルター室の形状で厚みをより薄型にしてあり、その薄型フィルター室底部には薄型フィルター室の長方形の長辺部両端にある散水口から排水口に向けて２〜５度の下りのスロープを設け、ポンプによって引き揚げられた水槽水と濾材との効果的接触と効率の良い流れから酸素の溶解を容易にしており、長方形である薄型フィルター室が任意数の積み重ねにより偶数になった時、最終的に水槽へ注ぎ込む排水口を、上部式濾過器のベース長辺部の端にあるポンプ設置場所とは反対側へ設定したい場合には、最上段のポンプ散水口から樋を設け、ポンプ設置場所の反対側の薄型フィルター室散水口へ揚水を落とすことが出来る。
【考案の詳細な説明】
【技術分野】
【０００１】
本考案は、一般的に市販される９０ｃｍ規格水槽以下の小型水槽での飼育ならびに生け簀水槽における、上部式濾過器の設置ならびに使用方法は従来のままで、フィルター室を薄型に設定し、任意数に積み重ねるだけで多段化を可能にし、メンテナンスの手軽さに加え、物理濾過と生物濾過を強化したものである。
【背景技術】
【０００２】
昨今のアクアリウムブームの浸透により各家庭に於いて、一般的に市販される９０ｃｍ規格水槽以下の小型水槽が大半を占めて飼育に使用されている。
【０００３】
その場合、いろいろな形式の濾過装置を選択することになるが、強力な濾過能力のある濾過装置は浄化作用も強いが、高価でメンテナンスに手間が掛かり、安価であれば手軽ではあるが濾過ならびに浄化作用に期待が持てない。
【０００４】
そのような中で、価格・浄化能力・メンテナスの手軽さから上部式フィルターが多く選択されている。
【０００５】
しかしながら、市販されている上部式濾過器のフィルター室は濾過材上部へ散水された水がフィルター室下部へ通り抜ける間だけしか濾材と接しておらず、必ずしも満足出来るクリーンな水質を作り出すことは出来ていない。
【先行技術文献】
【非特許文献】
【０００６】
【非特許文献１】森和賀子著  倉敷川の水辺生物  第０２号２００７年８月  倉敷川を中心とした生態系の考察  −倉敷川周辺生物に影響を与える倉敷川水中生活生物たち−  非売非定期サークル刊行物
【考案の概要】
【考案が解決しようとする課題】
【０００７】
そして、いかなる飼育ならびに生け簀水槽に於いても、飼育水槽水の物理濾過ならびに生物濾過装置を設けなければ、水槽内生物の出す排泄物からの有毒物質により、弱り死んでしまうこととなる。
【０００８】
そのような中で、水槽内生物に合わせた十分な濾過を強化する場合に、大変な手間が掛かることになり高価な機材では家庭用には普及は難しく、小型生け簀用としてもコストを抑えることが重要である。
【課題を解決するための手段】
【０００９】
そこで、それぞれの水槽内の生物に合った水質を作り出すため、上部式濾過器のフィルター室を通常のものより薄型に設定し、任意数だけ散水工と排水口を互い違いに積み重ねるだけで多段化を可能にし、従来からのメンテナンスの手軽さ低コストに加え、物理濾過と生物濾過を強化するものである。
【考案の効果】
【００１０】
水槽内の生物によって水の汚し方が違い、よりクリーンな水を好む生物がいるので、各階の濾材を変更することによって多種な生物に対応できるようになる。
【００１１】
食べ散らかしたり、食べ残したりすることが多い生物や糞の多い生物の場合は荒目ウール等の物理濾過材を最上部の１段に使い、極小目ウールを２段目に使うなどし、水質に敏感な生物には物理濾過材の下段にヤシガラ活性炭や粉砕竹炭などを敷き、その下段へセラミック製濾過リングを使うなど生物濾過材を多用することで、より効果が期待できる。
【図面の簡単な説明】
【００１２】
【図１】図１は上部式濾過器全体を設置した説明図である。例として4段とした。
【図２】図２は薄型フィルター室の断面を示した説明図である。
【考案を実施するための形態】
【実施例１】
【００１３】
図２符号６の様に薄型フィルター底部へ、散水口から排水口へ向けて２〜５度の下りスロープが設けてあり、薄型フィルター室を散水口から排水口へ流れ出る間中、濾材と接することによって十分な濾過能力を発揮できる。  
【実施例２】
【００１４】
また、ポンプによって引き揚げられた水は薄型フィルター散水口から薄型フィルター排水口へ流れ落ちていくことになり、図１の様に薄型フィルター室が偶数になった時に、図１符号４の様に最終的に水槽へ注ぎ込む薄型フィルター排水口を図１符号３であるポンプ設置場所とは反対側へ設定したい場合には、図１符号１の様にポンプ散水口から樋を設け、ポンプ設置場所の反対側の薄型フィルター室散水口へ引き揚げた水を落とすことが出来るようにした。
【実施例３】
【００１５】
薄型フィルター室の散水部には、水が効率よく濾材へ広がるよう図２符号５の様にロールを施し、図１符号４の様に最終排水口へ延長排水パイプを施してある。  
【符号の説明】
【００１６】
１      樋
２      薄型フィルター散水口側
３      揚水用ポンプ
４      水槽への最終排水口と延長パイプ
５      散水口のロール
６      散水口から排水口へ向けての２〜５度のスロープ
７      薄型フィルター排水口
【図１】
0003158223.tif 000003
【図２】
0003158223.tif 000004
【手続補正書】
【提出日】平成21年11月26日(2009.11.26)
【手続補正１】
【補正対象書類名】実用新案登録請求の範囲
【補正対象項目名】全文
【補正方法】変更
【補正の内容】
【実用新案登録請求の範囲】
【請求項１】
飼育ならびに生け簀水槽における従来型の長方形上部式濾過器において、フィルター室を任意数に散水口と排水口を互い違いに積み重ねることを可能にし、各フィルター室は多段化を前提に通常の長方形フィルター室の形状で厚みをより薄型にしてあり、その薄型フィルター室底部には薄型フィルター室の長方形の長辺部両端にある散水口から排水口に向けて２〜５度の下りのスロープを設け、ポンプによって引き揚げられた水槽水と濾材との効果的接触と効率の良い流れから酸素の溶解を容易にしており、長方形である薄型フィルター室が任意数の積み重ねにより偶数になった時、最終的に水槽へ注ぎ込む排水口を、上部式濾過器のベース長辺部の端にあるポンプ設置場所とは反対側へ設定したい場合には、最上段のポンプ散水口から樋を設け、ポンプ設置場所の反対側の薄型フィルター室散水口へ揚水を落とすことが出来る飼育ならびに生け簀水槽上部式濾過器多段フィルター。
【手続補正書】
【提出日】平成22年1月21日(2010.1.21)
【手続補正１】
【補正対象書類名】実用新案登録請求の範囲
【補正対象項目名】全文
【補正方法】変更
【補正の内容】
【実用新案登録請求の範囲】
【請求項１】
飼育ならびに生け簀水槽における長方形上部式濾過器において、任意数のフィルター室を組み合わせるため、フィルター室散水口側面上部枠へ凸部を設け、フィルター室排水口側面下部枠へ凹部を設けることにより散水口と排水口を互い違いに積み重ねることを可能にし、そのフィルター室底部にはフィルター室の長方形の長辺部両端にある散水口から排水口に向けて２〜５度の下りのスロープを設けてある飼育ならびに生け簀水槽上部式濾過器多段フィルター。